(57)【要約】【課題】機器同士間でのファイルの転送に係り、機器同士が同システムであることを容易に識別でき、ファイル転送操作の容易化をはかるとともに、システム自体の複雑化を回避した、伝達元機器、伝達先機器情報伝達システムを提供する。【解決手段】システムが異なる機器間でのファイルの伝達を行う情報伝達システムを、伝達先機器３０とで構成する伝達元機器１０であって、伝達するファイルが保存される伝達元記憶手段と、予め伝達元と伝達先の機器間で標準化されたフォルダ構造、かつ、伝達元を特定するためのユニークな構造をもった識別用ファイルを、伝達先機器３０と接続される前に、伝達元記憶手段に生成する識別用ファイル生成手段とを具備する。【選択図】        図１
2004187189.tif 000002
【特許請求の範囲】
【請求項１】
システムが異なる機器間でのファイルの伝達を行う情報伝達システムを、伝達先機器とで構成する伝達元機器であって、
伝達するファイルが保存される伝達元記憶手段と、予め伝達元と伝達先の機器間で標準化されたフォルダ構造、かつ、伝達元を特定するためのユニークな構造をもった識別用ファイルを、前記伝達先機器と接続される前に、前記伝達元記憶手段に生成する識別用ファイル生成手段とを具備することを特徴とする伝達元機器。
【請求項２】
システムが異なる機器間でのファイルの伝達を行う情報伝達システムを、伝達元機器とで構成する伝達先機器であって、
伝達されたファイルが保存される伝達先記憶手段と、前記伝達元機器の伝達元記憶手段に保存されているフォルダについて、予め伝達元と伝達先の機器間で標準化されたフォルダ構造になっていることを検出し、当該フォルダ構造中に含まれる、伝達元を特定するためのユニークな構造をもった識別用ファイルを識別する監視手段と、該監視手段により識別された識別用ファイルを削除する識別用ファイル削除手段と、伝達元機器の伝達元記憶手段に保存されているファイルを、識別用ファイルの削除後に、前記伝達先記憶手段に保存する保存手段とを具備することを特徴とする伝達先機器。
【請求項３】
伝達元機器と伝達先機器とからなり、システムが異なる機器間でのファイルの伝達を行う情報伝達システムであって、
前記伝達元機器は、伝達するファイルが保存される伝達元記憶手段と、予め伝達元と伝達先の機器間で標準化されたフォルダ構造、かつ、伝達元を特定するためのユニークな構造をもった識別用ファイルを、前記伝達先機器と接続される前に、生成する識別用ファイル生成手段とを備え、前記伝達先機器は、伝達されたファイルが保存される伝達先記憶手段と、前記伝達元機器の伝達元記憶手段に保存されているフォルダについて、予め伝達元と伝達先の機器間で標準化されたフォルダ構造になっていることを検出し、当該フォルダ構造中に含まれる、伝達元を特定するためのユニークな構造をもった識別用ファイルを識別する監視手段と、該監視手段により識別された識別用を削除する識別用ファイル削除手段と、伝達元機器の伝達元記憶手段に保存されているファイルを、識別用ファイルの削除後に、前記伝達先記憶手段に保存する保存手段とを備え、そして、伝達先機器と伝達先機器とは標準化されたシリアルインタフェース規格をもつ接続が可能であること特徴とする情報伝達システム。
【発明の詳細な説明】
【０００１】
【発明の属する技術分野】
本発明は、異なるシステム間でユーザーが必要なファイルを選択してファイル転送を行う為の、伝達元機器、伝達先機器、情報伝達システムに関する。
【０００２】
【従来の技術】
従来、一般的にシステム間にマスストレージクラス（Ｍａｓｓ  Ｓｔｏｒａｇｅ  Ｃｌａｓｓ）のプロトコルを実装した機器が多数ある。その具体例の一つとしては、パーソナルコンピュータ（以下、「ＰＣ」と称す）上から、メモリーデバイスを読み書きする為のリムーバブルカードリーダが知られている。ＰＣに、これらマスストレージクラスのプロトコルが実装された機器を、標準化されたシリアルインターフェース規格、例えば、ＵＳＢ（Ｕｎｉｖｅｒｓａｌ  Ｓｅｒｉａｌ  Ｂｕｓ）で接続した場合、ＰＣ側からは、ＦＤＤ（Ｆｌｅｘｉｂｌｅ  Ｄｉｓｋ  Ｄｒｉｖｅ）やＨＤＤ（Ｈａｒｄ  Ｄｉｓｋ  Ｄｒｉｖｅ）と同様に、これら機器は該当ＰＣのドライブとして認識されることになる。これらマスストレージクラスのプロトコルを実装した機器では、システム間にファイルを転送する仕組みがあるのみである。そのため、ユーザーは、機器側におけるファイルの中から必要なファイルを選択して、この選択したファイル自体をＰＣ側に転送する構成になっている。しかし、このようなシステムの場合、現状では、ＰＣ側で、機器側における転送対象となるファイル以外の情報を取得することができなかった。そこで、このような問題の解決をはかった従来技術として、例えば、特許文献１記載のファイル制御装置のファイル通信方法及び装置がある。この場合、ホスト側、パソコン通信ユーザー側の双方それぞれで、他方にあるファイルが当方に存在しない場合の検出装置をもち、この検出装置による検出によって、当方には存在しないファイルを他方からダウンロードする仕組みを提供する。また、この当方には存在しないファイルを他方からダウンロードするに当っては、他方にある登録ファイルのファイル名だけが存在し中身がないダミーファイルを生成する等のことを特徴としている。基本的に特許文献１記載の技術は、ダウンロードしたいファイルに関しての仕組みを提供する為に、ファイルを利用しており、かつＰＣ側でそのファイルを読み込んで受信側で情報の生成を行って再読み込みを行っている。
【０００３】
【特許文献１】
特開平８−３１４７８９号公報
【０００４】
【発明が解決しようとする課題】
前述したリムーバブルカードリーダ等の機器の、マスストレージクラスのプロトコルでは、基本的にファイル転送を一方側（ＰＣ側）で手動で行うしかない、機器同士が同システムであることの認識が全くできない、といった問題があった。
また、特許文献１記載の従来技術においては、ダウンロードしたいファイルに関する仕組みを追求したものであり、ファイル内リンク情報とリンクされたファイルの実態とは常に１：１に対応されている必要があった。そのため、システム自体が複雑化するといった問題がある。
【０００５】
本発明は、上記問題点に鑑み、機器同士間でのファイルの転送に係り、機器同士が同システムであることを容易に識別でき、ファイル転送操作の容易化をはかるとともに、システム自体の複雑化を回避した、伝達元機器、伝達先機器情報伝達システムを提供することを目的とする。
【０００６】
【課題を解決するための手段】
本発明は、こうした課題を解決するための手段を提供するもので、以下の技術手段を構成する。すなわち、本発明の情報伝達システムの伝達元機器は、システムが異なる機器間で、ファイルを伝達する情報伝達システムの伝達元機器であって、伝達するファイルを保存する伝達元記憶手段と、該伝達元記憶手段に、予め伝達元と伝達先との機器間で、標準化されたフォルダ構造で、伝達するファイルに加えて、伝達先機器と接続される前に、伝達元を特定するためのユニークな構造をもった識別用ファイルを生成する識別用ファイル生成手段とを具備したことを特徴とする。
【０００７】
また、本発明の情報伝達システムの伝達先機器は、システムが異なる機器間で、ファイルを伝送する情報伝達システムの伝達先機器であって、伝達されたファイルが保存される伝達先記憶手段と、伝達元機器に備えられている伝達元記憶手段のフォルダ構造について、予め伝達元と伝達先との機器間で標準化されたフォルダ構造になっていることを検出し、当該フォルダ構造中に含まれる、伝達元を特定する為のユニークな構造をもった識別用ファイルを識別する監視手段と、該監視手段によって、識別用ファイルが識別された場合、識別用ファイルを削除する識別用ファイル削除手段と、識別用ファイルを削除後、伝達元機器の伝達元記憶手段に保存されているファイルを、前記伝達先記憶手段に保存する保存手段とを具備したことを特徴とする。
【０００８】
そして、本発明の情報伝達システムは、システムが異なる機器間でファイルを伝達する情報伝達システムであって、伝達するファイルを保存する伝達元記憶手段と、該伝達元記憶手段に、予め伝達元と伝達先との機器間で標準化されたフォルダ構造で、伝達するファイルに加えて、伝達先機器と接続される前に、伝達元を特定するためのユニークな構造をもった識別用ファイルを生成する識別用ファイル生成手段とを備えている伝達元機器に、伝達されたファイルが保存される伝達先記憶手段と、前記伝達元機器に備えられている前記伝達元記憶手段のフォルダ構造について、予め伝達元と伝達先との機器間で標準化されたフォルダ構造になっていることを検出し、当該フォルダ構造中に含まれる、伝達元を特定するためのユニークな構造をもった識別用ファイルを識別する監視手段と、識別用ファイルが識別された場合、識別用ファイルを削除する識別用ファイル削除手段と、識別用ファイルを削除後、伝達元機器の伝達元記憶手段に保存されているファイルを、前記伝達先記憶手段に保存する保存手段とを備えている伝達先機器を、標準化されたシリアルインタフェース規格をもって接続してなること特徴とする。
【０００９】
【発明の実施の形態】
以下、本発明の好適な実施の形態について、デジタルスチルカメラ等の撮影システムによって撮影された画像をＰＣに転送する為のシステムを例に挙げ、添付図面を参照しながら、詳細に説明する。
【００１０】
本発明は、伝達元機器と伝達先機器とからなり、システムが異なる機器間でのファイルの伝達を行う情報伝達システムであって、前記伝達元機器は、伝達するファイルが保存される伝達元記憶手段と、予め伝達元と伝達先の機器間で標準化されたフォルダ構造、かつ、伝達元を特定するためのユニークな構造をもった識別用ファイルを、前記伝達先機器と接続される前に、生成する識別用ファイル生成手段とを備え、前記伝達先機器は、伝達されたファイルが保存される伝達先記憶手段と、前記伝達元機器の伝達元記憶手段に保存されているフォルダについて、予め伝達元と伝達先の機器間で標準化されたフォルダ構造になっていることを検出し、当該フォルダ構造中に含まれる、伝達元を特定するためのユニークな構造をもった識別用ファイルを識別する監視手段と、該監視手段により識別された識別用を削除する識別用ファイル削除手段と、伝達元機器の伝達元記憶手段に保存されているファイルを、識別用ファイルの削除後に、前記伝達先記憶手段に保存する保存手段とを備え、そして、伝達先機器と伝達先機器とは標準化されたシリアルインタフェース規格をもつ接続が可能である。
【００１１】
本発明の実施の形態について、具体的に説明する。図１は、本実施の形態による情報伝達システムの概略構成図である。本実施の形態の情報伝達システム１では、撮像システム１０とカードリーダ２０とが、標準化されたシリアルインターフェース規格をもって、ＰＣ３０にデータ接続されている。
【００１２】
撮像システム１０は、例えばデジタルスチルカメラ１１によって構成されている。このデジタルスチルカメラ１１は、撮影した画像を外部記録メディアとしてのメモリカードデバイス４０に保存する。そのため、デジタルスチルカメラ１１の本体１２には、このメモリカードデバイス４０が着脱自在に装着されるメモリカードデバイス挿入用スロット１３が設けられている。
【００１３】
また、デジタルスチルカメラ１１の本体１２には、操作ボタン（操作スイッチ）１４と、ＵＳＢ端子１５とが設けられている。
【００１４】
操作ボタン１４は、本体１２内のメモリに保存されたファイルをコピーする場合に、そのためのコピーアプリケーションを起動する為の操作スイッチである。
【００１５】
ＵＳＢ端子１５は、ＰＣ３０との間でデータ送受信する為の端子（標準化されたシリアルインターフェース規格）である。
【００１６】
これにより、デジタルスチルカメラ１１の本体１２内のメモリ、及びメモリカードデバイス挿入用スロット１３に装着されたメモリカードデバイス４０に保存されたデータ（この場合は、画像ファイル）は、前述したデジタルスチルカメラ１１とＰＣ３０とを、ＵＳＢケーブル５１で直接接続して転送する以外に、このメモリカードデバイス４０をカードリーダ２０に装着することによっても、ＰＣ３０に転送することができる。
【００１７】
これに対し、ＰＣ３０の本体３１には、上記したデジタルスチルカメラ１１及び、カードリーダ２０に接続されたＵＳＢケーブル５１，５２が接続されるＵＳＢ端子３３が設けられている。
【００１８】
これにより、デジタルスチルカメラ１１の撮影によってメモリカードデバイス４０に保存された画像ファイルは、メモリカードデバイス４０をスロット３２に装着することによって、直接ＰＣ３０でそのデータを直接、読み出し・書き込みすることもできる。
【００１９】
これらの構成によって、ＰＣ３０は、デジタルスチルカメラ１１のメモリカードデバイス挿入用スロット１３に装着されたメモリカードデバイス４０、及びカードリーダ２０の挿入用スロット２２に装着されたメモリカードデバイス４０を、ＰＣ３０の本体３１のメモリカードデバイス挿入用スロット３２に装着されたメモリカードデバイス４０の場合と同様に、リムーバブルドライブ形式（ＯＳ（Ｏｐｅｒａｔｉｎｇ  Ｓｙｓｔｅｍ）によっては、内蔵ドライブ形式）で認識できることになる。
【００２０】
さらに、また、ＰＣ３０には、予め監視用常駐ソフト６１及びコピーアプリケーションソフト６２がインストールされ、機能するようにされている。コピーアプリケーションソフト６２は、ＰＣ３０によってリムーバブルメディアドライブとして認識されたドライブ内のフォルダ構造中にあるコピーしたい画像データ群を、ＰＣ３０の保存手段としての保存媒体にコピーを行う為のものである。
【００２１】
次に、このコピーしたい画像データ群のコピーに関して説明する。図２は、本実施の形態の情報伝達システムのシステム構成図である。同図は、接続先機器であるＰＣ３０に、撮像システム１０を構成するデジタルスチルカメラ１１を、ＵＳＢケーブル５１によってＵＳＢ接続した場合のシステム構成を示している。
なお、その説明に当って、先に図１で説明した構成部分については、同符号を付し、その説明を省略する。
【００２２】
同図に示すように、撮像システム１０において、デジタルスチルカメラ１１に搭載したメモリカードデバイス４０のファイル格納フォルダ構造４１は、デジタルスチルカメラ１１によって生成されるルートフォルダ４２とサブフォルダ４３とからによる、階層フォルダ構造になっている。
【００２３】
この場合、ルートフォルダ４２には、撮像システム１０としてのデジタルスチルカメラ１１により設けられた識別用ファイル生成手段１６によって生成される、当該デジタルスチルカメラ１１に関しての識別用ファイル４５が格納される。これに対し、サブフォルダ４３には、デジタルスチルカメラ１１で撮影されたファイル（画像ファイル）４６が格納される。
【００２４】
そして、本実施の形態の情報伝達システム１では、撮像システム１０のメモリカードデバイス４０のファイル格納フォルダ構造４１と、そのファイル格納フォルダ構造４１内の識別用ファイル４５とを、前述したＰＣ３０に設けられた監視用常駐ソフト６１によって、検出及び、ファイル解析する。
【００２５】
この結果、検出及び、ファイル解析された識別用ファイル４５が、本システム１で予め定められた依頼元の識別用ファイル４５であると識別されると、不必要になった識別用ファイル４５を、前述のＰＣ３０に設けられた監視常駐ソフト６１で削除した後、ＰＣ３０に設けられたコピーアプリケーションソフト６２が、前述の監視用常駐ソフト６１によって、自動起動させられる構成となっている。
【００２６】
即ち、デジタルスチルカメラ１１とＰＣ３０とのＵＳＢケーブル５１によるＵＳＢ接続によって、デジタルスチルカメラ本体１１がＰＣ３０に接続されると、メモリカードデバイス４０の中に保存された階層フォルダ構造４２，４３や、その中のファイル群４５，４６をそっくりＰＣ側から見ることができる。
【００２７】
このことは、上記構成からなるメモリカードデバイス４０のファイル格納フォルダ構造４１が、ＰＣ側からは、ＰＣ３０に接続されているドライブ３４０のファイル格納フォルダ構造３４１として認識されることを示す。
【００２８】
これに基づき、メモリカードデバイス４０のファイル格納フォルダ構造４１におけるルートフォルダ４２及び、サブフォルダ４３は、ＰＣ側から眺めたドライブ３４０のファイル格納フォルダ構造３４１におけるルートフォルダ３４２及び、サブフォルダ３４３として認識されることになる。
【００２９】
これに伴い、ＰＣ３０側から認識されたルートフォルダ３４２には、デジタルスチルカメラ１１の識別用ファイル４５が識別用ファイル３４５として格納され、サブフォルダ３４３には、デジタルスチルカメラ１１で撮影されたファイル（画像ファイル）４６がファイル（画像ファイル）３４６として格納されていることになる。
【００３０】
そこで、本実施の形態の情報伝達システム１では、ＰＣ３０内に常駐させている監視用常駐ソフト６１によって、デジタルカメラ本体１１内のフォルダ構造４１（３４１）を検出し、その検出したフォルダ構造４１（３４１）を解析して、その識別ファイル４５（３４５）のファイル構造が本システム１で予め定められた、依頼元としての識別用ファイルのファイル名、ファイルフォーマット及び、データ内容になっているか否かを識別する構成となっている。
【００３１】
極端な話として、依頼元としての識別用ファイルであるかどうかを識別するのであれば、ファイル名のみで、中身は空のファイルであっても可能である。しかし、これでは、偶然同一のファイル名が存在する場合も考えられるので、ファイルフォーマットについては、必要最小限の情報のみ書き込まれている。例えば、ファイルサイズ情報、メーカー情報といったデータである。
【００３２】
この結果、本実施の形態の情報伝達システム１では、監視用常駐ソフト６１によって、検出された識別用ファイル４５（３４５）のファイル構造が予め定義された所定のファイルフォーマットを持ったものであり、この予め定義された所定のファイルフォーマットにおける所定の項目データの内容が予め定められている内容と一致すると識別された場合に、監視用常駐ソフト６１は、不必要になった識別用ファイル４５（３４５）を削除した後、デジタルスチルカメラ１１内にある画像ファイル４６（３４６）をコピーする為に、ＰＣ３０のコピーアプリケーションソフト６２を起動する構成になっている。
【００３３】
それ以降は、ＰＣ３０は、監視用常駐ソフト６１により起動される前述のコピーアプリケーションソフト６２が起動する度に、そのＨＤＤ３４に特定フォルダを生成し、その特定フォルダ内に、該当メモリカードデバイス４０（３４０）内の、カメラで撮影されたフィル群４６（３４６）の各ファイルをコピーして、一連の情報伝達シーケンスを完了する構成なっている。
【００３４】
このことから、ファイルコピー完了後、該当メモリカードデバイス４０を他のメモリーカードリーダに挿入しても、識別用ファイルは既に削除されてしまっているので、監視用常駐ソフト６１により自動起動されるコピーアプリケーションソフト６２が起動されることはない。即ち、特定の機器でのみ動作することから、他の機器との差別化が図れることになる。
【００３５】
図３は、本実施の形態の情報伝達システムのフローチャートである。以下、このフローチャートに基づいて、適宣図１及び、図２を参照しながら、上述の情報伝達システムの作用について詳述する。
【００３６】
まず、ユーザーは、デジタルスチルカメラ１１及び、ＰＣ３０のＵＳＢ男子１５、３３同士を、ＵＳＢケーブル５１で接続する。（ステップＳ０１）。
【００３７】
この状態では、デジタルスチルカメラ１１とＰＣ３０とのＵＳＢ接続は、まだアクティブな状態にはなっておらず、つまり電気的に接続されていない状態になっている。
【００３８】
そして、ユーザーがデジタルスチルカメラ１１の本体１２に設けられた操作ボタン１４を押す操作をする。（ステップＳ０２）。
【００３９】
この操作ボタン１４が押されることによって、まず、デジタルスチルカメラ１１内では、ファイル生成手段１６が起動し、挿入用スロット１３に装着されたメモリカードデバイス４０内に、予め定義されたフォーマットに基づいて、識別用ファイル４５を生成する。このメモリカードデバイス４０内への識別用ファイル４５の生成が終わると、デジタルスチルカメラ１１は、ＰＣ３０にあるＵＳＢターミナルスロット（ＵＳＢ端子）３３を、アクティブな状態する。（ステップＳ０３）。
【００４０】
これにより、ＰＣ３０のＯＳに備えられているプラグアンドプレイ（Ｐｌｕｇａｎｄ  ｐｌａｙ）機能が、デジタルスチルカメラ１１内のＵＳＢシステムを認識し、デジタルスチルカメラ１１からは、付属のデバイスドライバがロードされる。
【００４１】
これにより、ＰＣ３０のＯＳ内の上位層では、デジタルスチルカメラ１１に装着されたメモリーカードデバイス４０は、ＰＣ３０のドライブとして認識される。
【００４２】
この結果、ＰＣ３０のＯＳが、例えば、ウィンドウズＯＳ（Ｗｉｎｄｏｗｓ：マイクロソフト社の登録商標）であれば、アイコンのマイコンピュータ（Ｍｙ  Ｃｏｍｐｕｔｅｒ）内に、メモリカードデバイス４０が、ＰＣ３０に接続されている記憶装置（デバイス）の一つとして認識される状態となる。
【００４３】
一方、デジタルスチルカメラ１１で生成されたルート（階層）フォルダ４２以下のファイル格納フォルダ構造４１は、ＰＣ３０では、ＰＣ３０に接続されている記憶装置３４０のファイル格納フォルダ構造３４１として認識されることになる。
【００４４】
ところで、ＰＣ３０には、そのタスク内に前述した監視用常駐ソフト６１が常駐しており、ＰＣ３０のあたりに生成されたドライブ内のフォルダ構造や、その中のファイルをチェックしている。
【００４５】
したがって、この監視用常駐ソフト６１によって、前述したステップＳ１のデジタルスチルカメラ１１とＰＣ３０とのＵＳＢ接続により、新たに生成されたドライブ３４０（メモリカードデバイス４０に対応）内のフォルダ構造３４１（メモリカードデバイス４０のフォルダ構造４１に対応）や、その中のファイル３４５，３４６（メモリカードデバイス４０のファイル４５，４６に対応）も、チェックされることになる。特に、デジタルスチルカメラ１１で生成された識別ファイル４５（３４５）のチェックでは、予め定義されたフォーマット通りのファイルになっているか否かによってその後の処理が変わってくる。（ステップＳ０４）。
【００４６】
ステップＳ０４で、識別用ファイル４５（３４５）が、予め定義されたファイル名及び、フォーマットになっている場合は、当該デジタルスチルカメラによって、生成されたファイルである事が明白となり、不必要になった識別用ファイル４５（３４５）を監視常駐ソフト６１が削除する。（ステップＳ０５）。
【００４７】
ステップＳ０４で、識別用ファイル４５（３４５）が、予め定義されたファイル名及び、フォーマットになっていない場合や識別ファイル４５（３４５）が存在しない場合には、当該デジタルスチルカメラが接続されていないと判断し、そのまま、監視常駐ソフト６１は、通常の監視状態に移行する。（ステップＳ０８）。
【００４８】
ステップＳ０５で、監視常駐ソフト６１は、不必要となった識別用ファイル４５（３４５）を削除後、ファイルのコピー処理を行うコピーアプリケーションソフト６２を自動起動し、コピーアプリケーションソフト６２のコピー処理が完了するまでの間、監視常駐ソフト６１は、監視処理を中断する。（ステップＳ０６）。
【００４９】
これによって、監視常駐ソフト６１により自動起動されたコピーアプリケーションソフト６２は、まず、ＰＣ３０の本体３１内のＨＤＤ３４等のメモリ−デバイスに、新規のユニークなフォルダを生成する。
【００５０】
その上で、コピーアプリケーションソフト６２は、この新規のユニークなフォルダの中に、ドライブ３４０内のファイル格納フォルダ構造３４１及び、その中のファイル群３４６、即ちデジタルスチルカメラ１１のメモリカードデバイス４０内にある、当該カメラ１１で撮影されたファイル格納フォルダ構造４１の中のファイル群４６を、ファイル格納フォルダ構造４１と同一のファイル格納フォルダ構造の中にコピーする（ステップ０７）。
【００５１】
そして、この保存作業の終了により、監視用常駐ソフト６１によって自動起動されたコピーアプリケーション６２は、自動終了し、監視用常駐ソフト６１は、監視処理を再開する（ステップ８）。
【００５２】
以上のように、本発明によれば、伝送元機器の伝達元記憶手段を伝送先機器の伝達先記憶手段に接続するという行為で、伝送元機器がマスストレージクラスのＵＳＢデバイスであっても、ファイル転送に当っての伝送元機器による面倒な手動操作が必要なくなり、ファイル転送操作の容易化をはかることができる。さらに、システム自体の複雑化を回避し、容易に伝送先機器をコントロールできる。また、マスストレージクラスでは本来、ファイルを転送するといういわゆるファイル転送専用の機能しかないが、本発明により、自動的に伝送先機器側のコピーアプリケーションを起動し、ファイルを保存させることができる。さらに、伝送元機器で、識別用ファイルを作成し、伝送先機器で識別用ファイルを削除することから、保存媒体に識別用ファイルが残らないことも大きな特徴である。保存媒体に識別用ファイルが残っていると、伝送元機器の保存媒体がメモリーカード等の場合、一般的なメモリーカードリーダに保存媒体を挿入した時、伝送先機器にファイルが自動的に転送されてしまうが、保存媒体に記録されている識別用ファイルを、伝送先機器で削除することで、特定の伝送元機器と接続された時にのみ、ファイルを自動的に転送するといった、他機器との差別化がはかれる。
【００５３】
【発明の効果】
本発明によれば、機器同士間でのファイルの転送に係り、機器同士が同システムであることを容易に識別でき、ファイル転送操作の容易化をはかるとともに、システム自体の複雑化を回避した、伝達元機器、伝達先機器情報伝達システムを得ることができる。
【図面の簡単な説明】
【図１】本発明の一実施の形態による情報伝達システムの概略構成図。
【図２】本実施の形態の情報伝達システムのシステム構成図。
【図３】本実施の形態の情報伝達システムのフローチャート。
【符号の説明】
１  情報伝達システム
１０  撮像システム
１１  デジタルスチルカメラ
１３  メモリカードデバイス挿入用スロット
１４  操作ボタン
１５  ＵＳＢ端子
１６  識別用ファイル生成手段
２０  カードリーダ
２２  挿入用スロット
３０  ＰＣ（パーソナルコンピュータ）
３２  メモリカードデバイス挿入用スロット
３３  ＵＳＢ端子
３４  ＨＤＤ
４０  メモリカードデバイス
４１  ファイル格納フォルダ構造
４２  ルートフォルダ
４３  サブフォルダ
４５  識別用ファイル
４６  ファイル（画像ファイル）
【図１】
2004187189.tif 000003
【図２】
2004187189.tif 000004
【図３】
2004187189.tif 000005